(57)【要約】      （修正有）【課題】より簡単に組み立てることができ、組立後の保管スペースを縮小することができる電子機器用包装体を提供する。【解決手段】外装箱１００に収納される仕切り体４００と、スペーサ２００，３００とを備え、仕切り体４００は、互いに向き合う第１の仕切り板と、第１の仕切り板の間に略直交する向きで取り付けられる複数の第２の仕切り板と、を有し、スペーサ２００，３００は、第２の仕切り板の上部および下部に着脱可能に取り付けられており、より簡単に組み立てることができ、組立後の保管スペースを縮小することができる。【選択図】図１
2018062355.tif 000002
【特許請求の範囲】
【請求項１】
外装箱に収納される仕切り体と、スペーサとを備え、
前記仕切り体は、
互いに向き合う第１の仕切り板と、前記第１の仕切り板の間に略直交する向きで取り付けられる複数の第２の仕切り板と、を有し、
前記スペーサは、
前記第２の仕切り板の上部および下部に着脱可能に取り付けられる
ことを特徴とする電子機器用包装体。
【請求項２】
請求項１に記載の電子機器用包装体であって、
前記第２の仕切り板は、
開口する下端から上側方向に伸びる一対の長溝と、
開口する上端から下側方向に伸びる一対の短溝とを有し、
前記長溝および前記短溝には、前記第１の仕切り板が嵌め込まれる
ことを特徴とする電子機器用包装体。
【請求項３】
請求項２に記載の電子機器用包装体であって、
前記第２の仕切り板は、
前記短溝に挟まれる位置に、矩形の切り欠きと、前記矩形の切り欠きよりも内側に位置し、内側方向に湾曲する半円形の切り欠きと、を組み合わせた凹部を有する
ことを特徴とする電子機器用包装体。
【請求項４】
請求項３に記載の電子機器用包装体であって、
前記第２の仕切り板は、
前記凹部を上部および下部に有している
ことを特徴とする電子機器用包装体。
【請求項５】
請求項２に記載の電子機器用包装体であって、
前記第１の仕切り板は、
内側から上端に向かって伸びる複数の引掛け部と、
前記引掛け部同士の間に設けられた嵌合溝と、を有し、
前記第２の仕切り板は、
前記嵌合溝の内側端と、前記長溝の内側端とが当接するように略直交して前記第１の仕切り板に嵌め込まれる
ことを特徴とする電子機器用包装体。
【請求項６】
請求項５に記載の電子機器用包装体であって、
前記引掛け部は、
隣り合う他の引掛け部側に突出する凸部を上端付近に有する
ことを特徴とする電子機器用包装体。
【請求項７】
請求項６に記載の電子機器用包装体であって、
前記凸部は、
隣り合う他の引掛け部側に傾斜する第１の辺と、上側方向に略垂直に伸びる第２の辺と、前記引掛け部側に傾斜する第３の辺とを有する
ことを特徴とする電子機器用包装体。
【請求項８】
請求項６に記載の電子機器用包装体であって、
前記引掛け部に隣り合う他の引掛け部は、
前記引掛け部側に傾斜する第４の辺と、前記他の引掛け部の内側方向に略垂直に伸びる第５の辺とを有する
ことを特徴とする電子機器用包装体。
【請求項９】
請求項７に記載の電子機器用包装体であって、
前記第１の仕切り板および前記第２の仕切り板は、
前記第１の辺と、前記第２の仕切り板の内側端とが向き合う位置で位置決めされる
ことを特徴とする電子機器用包装体。
【請求項１０】
請求項５に記載の電子機器用包装体であって、
前記第２の仕切り板は、
前記短溝および前記長溝の中心軸と、前記嵌合溝の中心軸との重なりによって規定された回転軸を中心に所定方向に回転する
ことを特徴とする電子機器用包装体。
【請求項１１】
請求項３に記載の電子機器用包装体であって、
前記スペーサは、
連続する前記第２の仕切り板の凹部によって形成されるスペーサ受入部に嵌め込まれる
ことを特徴とする電子機器用包装体。
【請求項１２】
請求項１に記載の電子機器用包装体であって、
前記第１および第２の仕切り板は各々、
上下方向の長さを有し、左右方向に連続して形成される中芯を有し、
前記スペーサは、
前記仕切り体に取り付けられた際、前記第２の仕切り板に略直交する方向の長さを有し、前記第１の仕切り板に略並行する方向に連続して形成された中芯を有する
ことを特徴とする電子機器用包装体。
【請求項１３】
互いに向き合う第１の仕切り板と、前記第１の仕切り板の間に略直交する向きで取り付けられる複数の第２の仕切り板と、を備え、
前記第２の仕切り板は、
開口する下端から上側方向に伸びる一対の長溝と、
開口する上端から下側方向に伸びる一対の短溝とを有し、
前記長溝および前記短溝には、前記第１の仕切り板が嵌め込まれる
ことを特徴とする仕切り体。
【発明の詳細な説明】
【技術分野】
【０００１】
本発明は、電子機器用梱包体および仕切り体に関する。
【背景技術】
【０００２】
特許文献１には、包装容器に関し、「カートン台紙により組み立てた収納ケース２０の内部に、液晶パネルを封入したシールドバック袋を２個ずつ２列に収納する。収納ケース２０の上辺部に、両側一対の凹部４０３２３,２３を形成する。複数個の収納ケース２０を、カートン台紙により組み立てた底台３０の内部に１列に収納する。底台３０の内部に収納された複数個の収納ケース２０に跨がって、各収納ケース２０の凹部４０３２３,２３に天押さえ４０,４０を嵌め込む。天押さえ４０もカートン台紙により組み立てられている。」と記載されている。
【先行技術文献】
【特許文献】
【０００３】
【特許文献１】特開平０９‐３０９５２５号公報
【発明の概要】
【発明が解決しようとする課題】
【０００４】
特許文献１の包装容器は、２行２列の収納スペースを有する複数の収納ケースを台紙に嵌め込むことにより、複数の電子機器部品を包装することができる。しかしながら、収納ケースおよび台紙は、複雑に折り曲げて組み立てる必要がある。また、組立後の状態で保管スペースを縮小することについては何ら考慮されていない。
【０００５】
本発明は、上記課題に鑑みてなされたものであり、より簡単に組み立てることができ、組立後の保管スペースを縮小できる電子機器用包装体の提供を目的とする。
【課題を解決するための手段】
【０００６】
上記課題を解決するため、本発明の一態様に係る電子機器用包装体は、外装箱に収納される仕切り体と、スペーサとを備え、前記仕切り体は、互いに向き合う第１の仕切り板と、前記第１の仕切り板の間に略直交する向きで取り付けられる複数の第２の仕切り板と、を有し、前記スペーサは、前記第２の仕切り板の上部および下部に着脱可能に取り付けられる。
【０００７】
また、前記第２の仕切り板は、開口する下端から上側方向に伸びる一対の長溝と、開口する上端から下側方向に伸びる一対の短溝とを有し、前記長溝および前記短溝には、前記第１の仕切り板が嵌め込まれても良い。
【０００８】
また、前記第２の仕切り板は、前記短溝に挟まれる位置に、矩形の切り欠きと、前記矩形の切り欠きよりも内側に位置し、内側方向に湾曲する半円形の切り欠きと、を組み合わせた凹部を有しても良い。
【０００９】
また、前記第２の仕切り板は、前記凹部を上部および下部に有しても良い。
【００１０】
また、前記第１の仕切り板は、内側から上端に向かって伸びる複数の引掛け部と、前記引掛け部同士の間に設けられた嵌合溝と、を有し、前記第２の仕切り板は、前記嵌合溝の内側端と、前記長溝の内側端とが当接するように略直交して前記第１の仕切り板に嵌め込まれても良い。
【００１１】
また、前記引掛け部は、隣り合う他の引掛け部側に突出する凸部を上端付近に有しても良い。
【００１２】
また、前記凸部は、隣り合う他の引掛け部側に傾斜する第１の辺と、上側方向に略垂直に伸びる第２の辺と、前記引掛け部側に傾斜する第３の辺とを有しても良い。
【００１３】
また、前記引掛け部に隣り合う他の引掛け部は、前記引掛け部側に傾斜する第４の辺と、前記他の引掛け部の内側方向に略垂直に伸びる第５の辺とを有しても良い。
【００１４】
また、前記第１の仕切り板および前記第２の仕切り板は、前記第１の辺と、前記第２の仕切り板の内側端とが向き合う位置で位置決めされても良い。
【００１５】
また、前記第２の仕切り板は、前記短溝および前記長溝の中心軸と、前記嵌合溝の中心軸との重なりによって規定された回転軸を中心に所定方向に回転しても良い。
【００１６】
また、前記スペーサは、連続する前記第２の仕切り板の凹部によって形成されるスペーサ受入部に嵌め込まれても良い。
【００１７】
また、前記第１および第２の仕切り板は各々、上下方向の長さを有し、左右方向に連続して形成される中芯を有し、前記スペーサは、前記仕切り体に取り付けられた際、前記第２の仕切り板に略直交する方向の長さを有し、前記第１の仕切り板に略並行する方向に連続して形成された中芯を有しても良い。
【００１８】
また、本発明の一態様に係る仕切り体は、互いに向き合う第１の仕切り板と、前記第１の仕切り板の間に略直交する向きで取り付けられる複数の第２の仕切り板と、を備え、前記第２の仕切り板は、開口する下端から上側方向に伸びる一対の長溝と、開口する上端から下側方向に伸びる一対の短溝とを有し、前記長溝および前記短溝には、前記第１の仕切り板が嵌め込まれる。
【発明の効果】
【００１９】
本発明に係る電子機器用包装体は、より簡単に組み立てることができ、組立後の保管スペースを縮小することができる。なお、上記した以外の課題、構成および効果は、以下の実施形態の説明により明らかにされる。
【図面の簡単な説明】
【００２０】
【図１】図１は、電子機器用包装体の分解図である。
【図２】図２は、スペーサの展開図である。
【図３】図３は、仕切り体を構成する仕切り板Ａを示した図である。
【図４】図４は、仕切り体を構成する仕切り板Ｂを示した図である。
【図５】図５は、引掛け部ｃの拡大図である。
【図６】図６は、引掛け部ａの拡大図である。
【図７】図７は、引掛け部ｂの拡大図である。
【図８】図８は、嵌合溝の開口の拡大図である。
【図９】図９は、回転軸Ｎを中心に回転している様子の一例を示した平面図である。
【図１０】図１０は、仕切り体４００の折り畳む様子の一例を示した平面図である。
【図１１】図１１は、スペーサが嵌め込まれた仕切り体の平面図である。
【図１２】図１２は、図１２は、スペーサが嵌め込まれた仕切り体の正面図である。
【図１３】図１３は、スペーサが嵌め込まれた仕切り体４００の側面図である。
【発明を実施するための形態】
【００２１】
以下、本発明の一実施形態について図面を用いて説明する。
【００２２】
図１は、本実施形態に係る電子機器用包装体の分解図である。電子機器用包装体は、外装箱１００と、上部スペーサ２００および下部スペーサ３００（以下、上部スペーサおよび下部スペーサを分けずに「スペーサ２００、３００」という場合がある）と、仕切り体４００と、を有し、複数の薄型電子機器α（例えば、３．５インチハードディスク、タブレット端末およびノートパソコンなど）を包装する包装容器である。以下、各部の構成および効果について説明する。
【００２３】
図１に示すように、外装箱１００は、仕切り体４００に収納された包装対象を収容する箱形の部材であって、ダンボール材などから所定の大きさに形成されている。なお、外装箱１００の大きさおよび材質は特に限定されるものではなく、例えば、スペーサ２００、３００が嵌め込まれた仕切り体４００の大きさと略同じ大きさを有していれば良い。また、外装箱１００は、図示する形状のものに限定されるものではなく、仕切り体４００、スペーサ２００、３００および電子機器αを収容できればどのような形状のものであっても良い。
【００２４】
外装箱１００は、箱部１０１および箱部１０１と一体形成されている蓋部１０２を有している。箱部１０１は、仕切り体４００と、スペーサ２００、３００と、仕切り体４００に収納された電子機器αを収容する収容空間を有し、底面に対向する位置には開口１０３が設けられている。また、箱部１０１は、開口１０３の両側に一対のフラップ１０４を有している。また、箱部１０１は、蓋部１０２との連結部分に対向する一辺に、蓋部１０２のタック溝１０５に差し込まれる係合片１０６を有している。
【００２５】
蓋部１０２は、箱部１０１の開口１０３を塞ぐ薄板状に形成され、開口１０３を塞いだ際に箱部１０１の内側面と向き合うタック１０７を有している。また、タック１０７には、箱部１０１の係合片が差し込まれるタック溝１０５が設けられている。蓋部１０２を閉じた際、係合片１０６がタック溝１０５に差し込まれることにより、蓋部１０２と箱部１０１とが係り合い、外装箱１００に外力が加わった際に蓋部１０２が開いてしまうことを防止できる。
【００２６】
図２は、スペーサ２００、３００の展開図である。スペーサ２００、３００は、段ボール材などから所定の大きさ（例えば、縦２８６ｍｍ×横１２８ｍｍ）を有する矩形に形成され、長手方向に伸びる一対の折り曲げ線２０１、３０１（折筋）が設けられている。スペーサ２００、３００は、折り曲げ線２０１、３０１に沿って谷折りすることにより、図１に示すようにコの字型に組み立てられる。
【００２７】
組立後のスペーサ２００、３００は、対向する一対の側部２０２、３０２と、側部２０２、３０２に直交する向きで側部２０２、３０２同士の間に挟まれる平部２０３、３０３とを有するコの字型の形状となる。なお、折り曲げ線２０１、３０１の位置は、後述する凹部４０３の幅および高さに応じて適宜設計されれば良い。
【００２８】
図２に示すＥは、短手方向の長さを有し、段ボール材の表層同士の間に設けられている波状の中芯を示している。中芯は、長手方向に連続して形成されている。このような向きに設けられた中芯は、短手方向に加わる圧力に対するスペーサ２００、３００の強度を高める。
【００２９】
図３は、仕切り体４００を構成する仕切り板Ａを示した図である。仕切り板Ａは、段ボール材などから所定の大きさに形成され、左右一対の短溝４０１および長溝４０２と、上下一対の凹部４０３とを有している。
【００３０】
短溝４０１は、長溝４０２よりも短い所定の長さ（例えば、２０ｍｍ）に形成され、仕切り板Ａの上端側が開口している。なお、後述するように、短溝４０１には、仕切り板Ｂの凸部Ｈが引っ掛かり、仕切り板Ａが仕切り板Ｂから外れることを防止する。
【００３１】
長溝４０２は、短溝４０１よりも長い所定の長さ（例えば、８３．５ｍｍ）に形成され、仕切り板Ａの下端側が開口している。なお、後述するように、長溝４０２には、仕切り板Ａと仕切り板Ｂとが直交する向きで嵌合するように、仕切り板Ｂの嵌合溝４２０が嵌め込まれる。
【００３２】
上下一対の凹部４０３は各々、短溝４０１同士または長溝４０２同士の間に設けられた切り欠きであって、仕切り板Ａの外周から内側方向に形成された矩形の切り欠き４０４と、矩形の切り欠き４０４よりも内側に位置し、内側方向に湾曲する半円形の切り欠き４０５とが組み合わされた形状をしている。
【００３３】
半円形の切り欠き４０５の直径は、矩形の切り欠き４０４の対向する一辺よりも短い長さ（例えば、４０ｍｍ）に形成されている。また、矩形の切り欠き４０４の長手方向および短手方向の長さは各々、スペーサ２００、３００の平部２０３、３０３の幅および側部２０２、３０２の高さと略同じ所定の大きさ（例えば、幅８０ｍｍ×高さ３０ｍｍ）に形成されている。
【００３４】
なお、後述するように、凹部４０３には、組み立てられたスペーサ２００、３００が嵌め込まれる。また、半円形の切り欠き４０５は、仕切り体４００に収納された電子機器αを指で摘んで取り出し易いように設けられたものである。
【００３５】
図３に示すＦは、上下方向の長さを有し、段ボール材の表層同士の間に設けられている波状の中芯を示している。中芯は、左右方向に連続して形成されている。このような向きに形成された中芯は、上下方向に加わる圧力に対する仕切り板Ａの強度を高める。
【００３６】
図４は、仕切り体４００を構成する仕切り板Ｂを示した図である。仕切り板Ｂは、段ボール材などから所定の大きさに形成され、仕切り板Ｂの左右方向に連続して設けられている複数（例えば、８つ）の引掛け部４１０と、引掛け部の間に設けられている複数（例えば、７つ）の嵌合溝４２０とを有している。
【００３７】
引掛け部４１０は、仕切り板Ｂの左端に設けられている引掛け部ａと、仕切り板Ｂの右端に設けられている引掛け部ｂと、引掛け部ａおよびｂの間に設けられている引掛け部ｃとがあり、各々異なる形状をしている。
【００３８】
図５は、引掛け部ｃの拡大図である。引掛け部ｃの外周の形状は、上側に向かって略垂直に伸びる所定長さ（例えば、６８．５ｍｍ）の辺Ｏと、辺Ｏの先端から引掛け部Ｃの左上側に向かって傾斜する辺Ｐと、辺Ｐから上側に向かって略垂直に伸びる辺Ｑと、辺Ｑから引掛け部ｃの右上側に向かって傾斜する辺Ｒと、辺Ｒから水平方向に伸び、仕切り板Ｂの上端を規定する辺Ｓと、辺Ｓから引掛け部ｃの右下側に向かって傾斜する辺Ｔと、辺Ｔから引掛け部ｃの下側に向かって略垂直に伸びる辺Ｕとを有している。
【００３９】
図６は、引掛け部ａの拡大図である。引掛け部ａは、仕切り板Ｂの左端に設けられており、上端まで略垂直に伸びる所定長さ（例えば、８３．５ｍｍ）の辺Ｖと、辺Ｖから水平方向に伸び、仕切り板Ｂの上端を規定する辺Ｗと、辺Ｔと、辺Ｕとを有している。なお、辺Ｔおよび辺Ｕは、引掛け部ｃと同じであるため、同一の符号を付している。
【００４０】
図７は、引掛け部ｂの拡大図である。引掛け部ｂは、仕切り板Ｂの右端に設けられており、辺Ｏと、辺Ｐと、辺Ｑと、辺Ｒと、辺Ｒから水平方向に伸び、仕切り板Ｂの上端を規定する辺Ｘと、辺Ｔと、辺Ｘから下側に向かって略垂直に伸びる辺Ｙとを有している。なお、辺Ｏ〜辺Ｒは、引掛け部ｃと同じであるため、同一の符号を付している。
【００４１】
引掛け部ｂおよび引掛け部ｃは、それらの上端付近に凸部Ｈを有している。具体的には、凸部Ｈは、辺Ｐと、辺Ｑと、辺Ｒとにより形成され、左隣の引掛け部ａまたは引掛け部ｃの辺Ｕの方向に突出している。
【００４２】
図８は、嵌合溝４２０の開口の拡大図である。例えば、引掛け部ａと引掛け部ｃとの間に設けられている嵌合溝４２０を例に説明すると、嵌合溝４２０の開口上部Ｉは、例えば、引掛け部ａの辺Ｔと引掛け部ｃの辺Ｒによって広がった形状をしている。また、開口中部Ｊは、引掛け部ａの辺Ｔと、引掛け部ｃの凸部によって開口上部Ｉよりも狭い幅に形成されている。また、嵌合溝４２０の開口下部Ｋは、引掛け部ａの辺Ｕと、引掛け部ｃの辺Ｐによって、開口中部Ｊよりも広く、開口上部Ｉよりも狭い幅に形成されている。
【００４３】
図４に示すＧは、上下方向の長さを有し、段ボール材の表層同士の間に設けられている波状の中芯を示している。中芯は、左右方向に連続して形成されている。このような向きに形成された中芯は、上下方向に加わる圧力に対する仕切り板Ｂの強度を高める。
【００４４】
次に、仕切り体４００について説明する。仕切り体４００は、例えば、７枚の仕切り板Ａと、一対（２枚）の仕切り板Ｂとを直交する向きに組み合わせることにより形成される。具体的には、仕切り板Ａを仕切り板Ｂに取り付ける場合、仕切り板Ａを仕切り板Ｂに直交する向きで、長溝４０２の内側端（長溝４０２の底部）４０６を嵌合溝４２０の内側端（嵌合溝４２０の底部）４２１に当接する位置まで嵌め込む。このようにして、一対の仕切り板Ｂに対して全ての仕切り板Ａ（例えば、７枚）を取り付ける。
【００４５】
仕切り板Ｂに仕切り板Ａが嵌め込まれると、短溝４０１内に引掛け部ｂまたはｃの凸部Ｈが進入し、短溝４０１の内側端（短溝４０１の底部）４０７と、引掛け部ｂおよびｃの辺Ｐとが向き合うように位置決めされる。
【００４６】
そのため、仕切り体４００から仕切り板Ａを上側方向に引き抜こうとすると、短溝４０１の内側端４０７が引掛け部ｂまたはｃの凸部Ｈ（辺Ｐ）に接触して引っ掛かる。したがって、仕切り板Ａを上側方向に持ち上げても、仕切り板Ｂから容易に外れなくなる。
【００４７】
なお、仕切り板Ａをより大きな力で上側方向に引っ張ることによって、仕切り板Ｂから引き抜くことができる。上側方向に引き抜くためのより大きな力が仕切り板Ａに加わると、短溝４０１の内側端４０７は引掛け部ｂまたはｃの辺Ｐに沿って斜上方向にスライドする。そして、短溝４０１の内側端４０７が辺Ｐの傾斜端まで来ると、引っ掛かりがなくなるため、仕切り板Ａは仕切り板Ｂから引き抜くことができる。
【００４８】
なお、仕切り体４００が組み立てられると、仕切り体４００の上部および下部には、凹部４０３が連続して連なることにより形成される直方形のスペーサ受入部４３０が形成される。
【００４９】
また、仕切り板Ｂに嵌め込まれた仕切り板Ａは、短溝４０１および長溝４０２の中心軸Ｌと、嵌合溝４２０の中心軸Ｍとによって規定された共通の回転軸Ｎを中心に回転することができる。
【００５０】
図９は、回転軸Ｎを中心に回転している様子の一例を示した平面図である。なお、説明の都合上、凹部４０３および引掛け部ａ〜ｃは図示していない。
【００５１】
仕切り板Ａが仕切り板Ｂに嵌め込まれると、仕切り板Ａの上側から下側方向に伸びる短溝４０１および長溝４０２の中心軸Ｌは、仕切り板Ｂの上側から下側方向に伸びる嵌合溝４２０の中心軸Ｍと重なり、回転軸Ｎを形成する。
【００５２】
図１０は、仕切り体４００の折り畳む様子の一例を示した平面図である。図示するよう、仕切り板Ａに矢印方向の力が加わると、仕切り板Ａは、回転軸Ｎを中心に矢印方向に回転する。
【００５３】
回転軸Ｎを中心に仕切り板Ａが回転することにより、仕切り体４００は、組み立てられた状態で折り畳まれる。そのため、仕切り体４００を保管する際の保管スペースを縮小することができる。また、前述の外装箱１００も、折り畳むことができるように形成されても良い。また、スペーサ２００、３００は、矩形の薄板から形成されているため、この字型に組み立てる前の薄板状に戻すことが可能である。すなわち、仕切り体４００、外装箱１００およびスペーサ２００、３００はいずれも折り畳むか薄板状に変形できるため、保管の省スペース化に大きく貢献することができる。
【００５４】
なお、図１０は、仕切り板Ａの回転方向および仕切り体４００が折り畳まれる様子の一例を示したものであって、仕切り体４００は、より薄くなるように（仕切り板Ｂ同士の間隔がより近くなるように）折り畳めても良い。
【００５５】
次に、各部材の組み立て順序の一例について説明する。前述の通り、仕切り板Ａを仕切り板Ｂに嵌め込み、仕切り体４００を作成する。また、仕切り体４００の下部に形成されたスペーサ受入部４３０に組立後の下部スペーサ３００を嵌め込む。具体的には、平部３０３が仕切り体４００に対向する向きに、下部スペーサ３００をスペーサ受入部４３０に嵌め込む。
【００５６】
下部スペーサ３００が嵌め込まれると、仕切り体４００には、仕切り板ＡおよびＢと下部スペーサ３００とで仕切られた複数の収納スペースが形成される。電子機器αは、収納スペースに収納される。
【００５７】
また、電子機器αを収納した状態で、仕切り体４００の上部に形成されたスペーサ受入部４４０に組立後の上部スペーサ２００を嵌め込む。具体的には、平部２０３が仕切り体４００に対向する向きに、上部スペーサ２００をスペーサ受入部４４０に嵌め込む。
【００５８】
図１１は、スペーサ２００、３００が嵌め込まれた仕切り体４００の平面図である。図１２は、スペーサ２００、３００が嵌め込まれた仕切り体４００の正面図である。図１３は、スペーサ２００、３００が嵌め込まれた仕切り体４００の側面図である。包装対象の電子機器αは、仕切り体４００およびスペーサ２００、３００に囲まれた状態で外装箱１００に収容される。
【００５９】
これにより、収納スペースは、仕切り体４００と、スペーサ２００、３００とにより囲まれる。このような収納スペースは、高い圧縮強度を有している。特に、スペーサ２００、３００は、仕切り体４００の左右方向の長さを有し、仕切り体Ｂの長手方向に連続して形成されている中芯を有している。そのため、収納スペースに左右方向からの外力が加わった場合でも、高い圧縮強度を発揮する。また、スペーサ２００、３００により、前述の回転軸Ｎを軸とする仕切り板Ａの回転を制限することができる。
【００６０】
また、仕切り板ＡおよびＢは各々、仕切り体４００の上下方向の長さを有し、仕切り板Ａの左右方向および仕切り板Ｂの長手方向に連続して形成されている中芯を有している。そのため、収納スペースに上下方向からの外力が加わった場合でも、高い圧縮強度を発揮する。
【００６１】
また、収納された電子機器αは、上部スペーサ２００を取り外し、矩形または半円形の切り欠き４０４、４０５からのぞく電子機器αの一部を指で摘むことにより、収納スペースから容易に取り出すことができる。
【００６２】
以上、本実施形態に係る電子機器用包装体について説明した。このような電子機器用包装体によれば、より簡単に組み立てることができ、組立後の保管スペースを縮小することができる。
【００６３】
なお、外装箱１００に収容される仕切り体４００の向きは特に限定されるものではなく、上下を逆にして収容されても良く、左右を逆にして収容されても良く、上下左右を逆にして収容されても良い。前述の仕切り体４００ならびに仕切り板Ａおよび仕切り板Ｂの説明で示した上下および左右の方向は、説明上便宜的に設定したものであって、本実施形態に係る仕切り体４００の収容方向を限定するものではない。
【００６４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、実施例の構成の一部について、他の構成の追加、削除、置換をすることが可能である。
【符号の説明】
【００６５】
１００・・・外装箱、２００・・・上部スペーサ、３００・・・下部スペーサ、
４００・・・仕切り体、α・・・電子機器、１０１・・・箱部、１０２・・・蓋部、
１０３・・・開口、１０４・・・フラップ、１０５・・・タック溝、１０６・・・係合片、１０７・・・タック、２０１（３０１）・・・折り曲げ線、２０２（３０２）・・・側部、２０３（３０３）・・・平部、Ａ・・・仕切り板Ａ、Ｂ・・・仕切り板Ｂ、４０１・・・短溝、４０２・・・長溝、４０３・・・凹部、４０４・・・矩形の切り欠き、４０５・・・半円形の切り欠き、４１０・・・引掛け部、４２０・・・嵌合溝
【図１】
2018062355.tif 000003
【図２】
2018062355.tif 000004
【図３】
2018062355.tif 000005
【図４】
2018062355.tif 000006
【図５】
2018062355.tif 000007
【図６】
2018062355.tif 000008
【図７】
2018062355.tif 000009
【図８】
2018062355.tif 000010
【図９】
2018062355.tif 000011
【図１０】
2018062355.tif 000012
【図１１】
2018062355.tif 000013
【図１２】
2018062355.tif 000014
【図１３】
2018062355.tif 000015